(57)【要約】【課題】  低コスト化を図ることができる植物茎誘引用結束具を得る。【解決手段】  茎を支持する茎支持部２と茎支持部２を開閉する把持部３とが連設され、対向面に紐係止部１０が設けられて、ヒンジ部６で回動自在に連結された一対の第１挟持片４と第２挟持片５を同じ形状に形成し、ヒンジ部６は、第１，第２挟持片４，５の長手方向に対して直交する厚み方向の対向面に、厚み方向に所定の間隔を空けて一対の同じ形状の突片７ａ，７ｂを第１，第２挟持片４，５の長手方向に設け、突片７ａ，７ｂのそれぞれ同じ方向を向く一方の突片７ａの面には凹部８を設け、他方の突片７ｂの面に凹突８に嵌る突部９を設け、第１挟持片４に設けられている突片ａを第２挟持片５に設けられている突片７ａ，７ｂの間に圧入して凹部８に突部９を回転可能に嵌合した構成とした。【選択図】    図２
2013183666.tif 000002
【特許請求の範囲】
【請求項１】
茎を支持する略半円状の茎支持部と、この茎支持部を開閉する把持部とを連設した一対の第１挟持片及び第２挟持片が、それぞれの茎支持部と把持部の間に設けたヒンジ部で回動自在に連結され、第１挟持片及び第２挟持片における前記茎支持部と前記ヒンジ部との間の対向面には第１挟持片及び第２挟持片が閉じたときに互いに噛み合う紐係止部が設けられ、第１挟持片及び第２挟持片の茎支持部の背部に、茎支持部に対して閉方向に付勢するように略Ｃ字状バネの端部が係止している合成樹脂製の植物茎誘引用結束具において、
前記第１挟持片及び第２挟持片に設けられた前記紐係止部は同じ形状に形成され、前記ヒンジ部は、前記第１挟持片及び第２挟持片の長手方向に対して直交する厚み方向の対向面に、厚み方向に所定の間隔を空けて少なくとも一対の同じ形状の突片が前記第１挟持片及び第２挟持片の長手方向に設けられ、前記一対の突片のそれぞれ同じ方向を向く一方の突片の面には凹部が設けられ、他方の突片の面には前記凹部に嵌る突部が設けられ、前記第１挟持片と第２挟持片のうちの一方の挟持片に設けられている前記一対の突片のうちの一方の突片を他方の挟持片に設けられている前記一対の突片の間に圧入して前記凹部に前記突部を回転可能に嵌合した構成となっていることを特徴とする植物茎誘引用結束具。
【発明の詳細な説明】
【技術分野】
【０００１】
本発明は、温室或いは畑で植物の苗の生育を補助し、上に伸びる植物の茎を、例えばその上に設置した架線から吊した誘導紐に結束する植物茎誘引用結束具に関するものである。
【背景技術】
【０００２】
生育するにつれて上に伸びるトマト、キウリ、メロンなどの苗の茎を誘引するものとして、茎を支持する略半円状の茎支持部と把持部とを連設した一対となる第１挟持片及び第２挟持片が、茎支持部と把持部の間に設けたヒンジ部で回動自在に連結され、第１挟持片及び第２挟持片における前記茎支持部と前記ヒンジ部との間の対向面に第１挟持片及び第２挟持片が閉じたときに互いに噛み合う紐係止部が形成され、第１挟持片及び第２挟持片の茎支持部の背部に、茎支持部に対して閉方向に付勢するように略Ｃ字状バネの端部が係止している植物茎誘引用結束具がある。
【０００３】
このような植物茎誘引用結束具として、従来、前記第１挟持片、第２挟持片及び第１挟持片と第２挟持片を連結するヒンジ部が一体に形成された合成樹脂製の植物茎誘引用結束具（例えば、特許文献１参照）や、前記ヒンジ部が前記第１挟持片及び第２挟持片が別体として構成され、第１挟持片及び第２挟持片における茎支持部と把持部の間を別部材として用意した軸により回動自在に連結してヒンジ部とした植物茎誘引用結束具（例えば、特許文献２参照）が知られている。
【先行技術文献】
【特許文献】
【０００４】
【特許文献１】特開２００１−２３８５４７号公報
【特許文献２】特開２００５−１３７２０５号公報
【発明の概要】
【発明が解決しようとする課題】
【０００５】
しかしながら、特許文献１に記載された植物茎誘引用結束具では、第１挟持片、第２挟持片及び第１挟持片と第２挟持片を連結するヒンジ部が一体に形成されているので、それを作るための成形型が複雑化してコスト高になり、また、第１挟持片と第２挟持片の回動を容易にするために第１挟持片と第２挟持片を連結しているヒンジ部を薄く形成すると、第１挟持片と第２挟持片の回動の繰り返しによりヒンジ部が切断してしまうおそれがあるといった問題がある。
【０００６】
また、特許文献２に記載された植物茎誘引用結束具では、前記ヒンジ部が前記第１挟持片及び第２挟持片が別体として構成され、第１挟持片及び第２挟持片における茎支持部と把持部の間を別部材として用意した軸により回動自在に連結してヒンジ部としているので、部品点数が多く、組み立て作業が面倒となり、コスト高になるといった問題がある。
これら植物茎誘引用結束具は一度に沢山使用するので、１個がコスト高になると、非常に高額になることから、１個当たりのコストをできるだけ下げることが望まれている。
【０００７】
本発明の目的は、低コスト化を図ることができる植物茎誘引用結束具を提供することにある。
【課題を解決するための手段】
【０００８】
上記の目的を達成するために、請求項１に記載の発明は、茎を支持する略半円状の茎支持部と、この茎支持部を開閉する把持部とを連設した一対の第１挟持片及び第２挟持片が、それぞれの茎支持部と把持部の間に設けたヒンジ部で回動自在に連結され、第１挟持片及び第２挟持片における前記茎支持部と前記ヒンジ部との間の対向面には第１挟持片及び第２挟持片が閉じたときに互いに噛み合う紐係止部が設けられ、第１挟持片及び第２挟持片の茎支持部の背部に、茎支持部に対して閉方向に付勢するように略Ｃ字状バネの端部が係止している合成樹脂製の植物茎誘引用結束具において、前記第１挟持片及び第２挟持片に設けられた前記紐係止部は同じ形状に形成され、前記ヒンジ部は、前記第１挟持片及び第２挟持片の長手方向に対して直交する厚み方向の対向面に、厚み方向に所定の間隔を空けて少なくとも一対の同じ形状の突片が前記第１挟持片及び第２挟持片の長手方向に設けられ、前記一対の突片のそれぞれ同じ方向を向く一方の突片の面には凹部が設けられ、他方の突片の面には前記凹部に嵌る突部が設けられ、前記第１挟持片と第２挟持片のうちの一方の挟持片に設けられている前記一対の突片のうちの一方の突片を他方の挟持片に設けられている前記一対の突片の間に圧入して前記凹部に前記突部を回転可能に嵌合した構成となっていることを特徴とする。
【発明の効果】
【０００９】
請求項１に記載の植物茎誘引用結束具によれば、前記第１挟持片と第２挟持片に設けられた前記紐係止部及び前記ヒンジ部を構成する一対の突片がそれぞれ同じ形状に形成されているので、１つの成形型で前記紐係止部及び前記ヒンジ部を構成する一対の突片が設けられた前記第１挟持片及び第２挟持片を作ることができる。そして、第１挟持片と第２挟持片とを連結するヒンジ部にあっては、前記第１挟持片と第２挟持片のうちの一方の挟持片に設けられている前記一対の突片のうちの一方の突片を他方の挟持片に設けられている前記一対の突片の間に圧入して前記凹部に前記突部を回転可能に嵌合して構成されるので、部品点数が少なく、また組み立て作業が容易であるといったことから、従来の植物茎誘引用結束具に比べ低コストで得ることができる。
【図面の簡単な説明】
【００１０】
【図１】本発明に係る植物茎誘引用結束具の実施の形態の一例を示す斜視図である。
【図２】（Ａ）は図１に示す植物茎誘引用結束具の一方の挟持片の平面図、（Ｂ）は（Ａ）の底面図、（Ｃ）は（Ａ）の正面図、（Ｄ）は（Ａ）の背面図である。
【図３】本例の植物茎誘引用結束具の第１挟持片と第２挟持片をヒンジ部で連結する過程を示す拡大断面図である。
【図４】本例の植物茎誘引用結束具の第１挟持片と第２挟持片をヒンジ部で連結した状態を示す拡大断面図である。
【図５】本例の植物茎誘引用結束具の使用例を示す説明図である。
【発明を実施するための形態】
【００１１】
以下、本発明に係る植物茎誘引用結束具の実施の形態の一例を図面を参照して説明する。
図１は本例の植物茎誘引用結束具を示す斜視図、
図２の（Ａ）は図１に示す植物茎誘引用結束具の一方の挟持片の平面図、（Ｂ）は（Ａ）の底面図、（Ｃ）は（Ａ）の正面図、（Ｄ）は（Ａ）の背面図、図３は本例の植物茎誘引用結束具の第１挟持片と第２挟持片をヒンジ部で連結する過程を示す拡大断面図、図４は本例の植物茎誘引用結束具の第１挟持片と第２挟持片をヒンジ部で連結した状態を示す拡大断面図、図５は本例の植物茎誘引用結束具の使用例を示す説明図である。
【００１２】
本例の植物茎誘引用結束具１は、茎を支持する略半円状の茎支持部２と、この茎支持部２を開閉する把持部３とを連設した同形の一対となる合成樹脂製の第１挟持片４及び第２挟持片５が、茎支持部２の凹面側を対向させてそれぞれの茎支持部２と把持部３の間に設けたヒンジ部６で回動自在に連結されている。
【００１３】
このヒンジ部６は、第１挟持片４及び第２挟持片５の長手方向に対して直交する厚み方向の対向面に、厚み方向に所定の間隔を空けて少なくとも一対の同じ形状で且つ一方が間隔より小さい厚さの突片７ａ，７ｂが第１挟持片４及び第２挟持片５の長手方向にそれぞれ設けられ、一対の突片７ａ，７ｂのそれぞれ同じ方向を向く一方の突片７ａの面には凹部８が設けられ、他方の突片７ｂの面には凹部８に嵌る突部９が設けられ、第１挟持片４と第２挟持片５のうちの一方の挟持片４（５）に設けられている一対の突片７ａ，７ｂのうちの突片７ａを他方の挟持片５（４）に設けられている一対の突片７ａ，７ｂの間に圧入して（図３参照。）凹部８に突部９に回転可能に嵌合した構成となっている（図４参照。）。
【００１４】
また、第１挟持片４及び第２挟持片５における茎支持部２とヒンジ部６との間に位置する対向面には、第１挟持片４及び第２挟持片５が閉じたとき、即ち、凹面側が対向している第１挟持片４と第２挟持片５における茎支持部２の先端が当接したときに、互いに噛み合う同じ形状の紐係止部１０が形成されている。紐係止部１０は、第１挟持片４及び第２挟持片５の長手方向に対して直交する厚み方向の対向面に、厚み方向に所定の間隔Ｌ２を空けて長手方向に突設した突片１１ａ，１１ｂにより構成されている。この突片１１ａ，１１ｂの茎支持部２側の端部には、噛み合った紐係止部１０を構成する突片１１ａ，１１ｂで挟持された紐が突片１１ａ，１１ｂから茎支持部２側へ脱出することを阻止する係止部１２が形成されている。
【００１５】
また、第１挟持片４及び第２挟持片５の茎支持部２の背部に、茎支持部２に対して閉方向に付勢するように略Ｃ字状バネ１３の端部が係止している。
この略Ｃ字状バネ１３は、第１挟持片４及び第２挟持片５の把持部３に設けられた長穴１４を通ってその端部が第１挟持片４及び第２挟持片５の茎支持部２の背部に設けられた係止溝１５に係止しており、第１挟持片４及び第２挟持片５の把持部３を閉動させると茎支持部２が略Ｃ字状バネ１３の弾発力に抗して開動し、把持部３の閉動を解くと略Ｃ字状バネ１３の弾発力により茎支持部２が閉じるようになっている。
【００１６】
また、第１挟持片４及び第２挟持片５の茎支持部２の先端当接面には、同じ形状の突部１６と凹部１７が設けられ、茎支持部２を閉じた際に、突部１６と凹部１７が嵌り合って第１挟持片４及び第２挟持片５の茎支持部２の先端が相互にずれないようになっている。  
【００１７】
図５は本例の植物茎誘引用結束具１の使用例を示すものであり、上から垂らされた紐１８を紐係止部１０で挟むとともに茎支持部２でトマト、キウリ、メロンなどの苗１９の茎２０を挟み、茎２０を上方へ誘引する。この使用にあっては、従来の植物茎誘引用結束具と変わるところはない。
【００１８】
このような植物茎誘引用結束具１によれば、第１挟持片４と第２挟持片５に設けられた紐係止部１０及びヒンジ部６を構成する一対の突片７ａ，７ｂがそれぞれ同じ形状に形成されているので、１つの成形型で紐係止部１０及びヒンジ部６を構成する一対の突片７ａ，７ｂが設けられた第１挟持片４及び第２挟持片５を作ることができる。
そして、第１挟持片４と第２挟持片５とを連結するヒンジ部６にあっては、第１挟持片４と第２挟持片５のうちの一方の挟持片４（５）に設けられている一対の突片７ａ，７ｂのうちの一方の突片７ａを他方の挟持片５（４）に設けられている一対の突片７ａ，７ｂの間に圧入して凹部８に突部９に回転可能に嵌合して構成されるので、部品点数が少なく、また組み立て作業が容易である。
【符号の説明】
【００１９】
１  植物茎誘引用結束具
２  茎支持部
３  把持部
４  第１挟持部
５  第２挟持部
６  ヒンジ部
７ａ、７ｂ  突片
８  凹部
９  突部
１０  紐係止部
１１ａ、１１ｂ  突片
１２  係止部
１３  略Ｃ字状バネ
１４  長穴
１５  係止溝
１６  突部
１７  凹部
１８  紐
１９  苗
２０  茎
【図１】
2013183666.tif 000003
【図２】
2013183666.tif 000004
【図３】
2013183666.tif 000005
【図４】
2013183666.tif 000006
【図５】
2013183666.tif 000007